(57)【要約】  本発明は、第１の壁要素（２）と該第１の壁要素に対して角度を成して配置される第２の壁要素（３）とを有する特に引き出し用のコーナー接続体（１）であって、第１の壁要素（２）に取り付けることができるとともに第２の壁要素（３）を挿入するための受け部を有するコネクタ（４）が存在するコーナー接続体（１）において、コネクタ（４）内に保持要素（５）を挿入することができ、該保持要素により第２の壁要素（３）をコネクタ（４）に締結できることを特徴とするコーナー接続体（１）に関する。【選択図】  図２
2012518129.tif 000002
【特許請求の範囲】
【請求項１】
第１の壁要素（２）と前記第１の壁要素に対してある角度を成して配置される第２の壁要素（３）とを備える特に引き出し用のコーナー接続体（１）であって、前記第１の壁要素（２）に取り付けることができるとともに前記第２の壁要素（３）を挿入するための受け部を備えるコネクタ（４）が設けられるコーナー接続体（１）において、
前記コネクタ（４）内に保持要素（５）を挿入することができ、前記保持要素により前記第２の壁要素（３）を前記コネクタ（４）に締結できることを特徴とする、コーナー接続体（１）。
【請求項２】
前記第２の壁要素（３）の開口（７）と係合する少なくとも１つの突起（６）が前記保持要素（５）に配置されることを特徴とする、請求項１に記載のコーナー接続体。
【請求項３】
前記保持要素（５）が、前記第２の壁要素（３）の前縁を取り囲むＵ形状クランプとして配置されることを特徴とする、請求項１または２に記載のコーナー接続体。
【請求項４】
前記Ｕ形状クランプの各肢部には内側に面する側にラッチ手段（１０、１１）が設けられることを特徴とする、請求項３に記載のコーナー接続体。
【請求項５】
前記ラッチ手段（１０、１１）が前記第２の壁要素（３）の開口に配置されることを特徴とする、請求項４に記載のコーナー接続体。
【請求項６】
前記保持要素（５）が前記コネクタ（４）と共に螺合されることを特徴とする、請求項１〜５のいずれか一項に記載のコーナー接続体。
【請求項７】
前記コネクタ（４）が、前記保持要素（５）を前記第２の壁要素（３）に挿入するための窪み（１２）を備えることを特徴とする、請求項１〜６のいずれか一項に記載のコーナー接続体。
【請求項８】
前記保持要素（５）が、前記第２の壁要素（３）の取付位置で前記窪み（１２）内に完全に収容されることを特徴とする、請求項７に記載のコーナー接続体。
【請求項９】
前記第１の壁要素（２）を挿入するためのガイドが前記コネクタ（４）に配置されることを特徴とする、請求項１〜８のいずれか一項に記載のコーナー接続体。
【請求項１０】
前記第１の壁要素（２）を締結するためにラッチ要素（１５）が前記コネクタ（４）に取り外し可能に締結されることを特徴とする、請求項１〜９のいずれか一項に記載のコーナー接続体。
【請求項１１】
前記第２の壁要素（３）がガラス、セラミック、および／または、石から形成されることを特徴とする、請求項１〜１０のいずれか一項に記載のコーナー接続体。
【請求項１２】
前記第１の壁要素（２）がシートメタルから形成されることを特徴とする、請求項１〜１１のいずれか一項に記載のコーナー接続体。
【請求項１３】
前記ラッチ要素（１５）および／または前記保持要素（５）がプラスチックから形成されることを特徴とする、請求項１〜１２のいずれか一項に記載のコーナー接続体。
【発明の詳細な説明】
【技術分野】
【０００１】
本発明は、第１の壁要素と、該第１の壁要素に対して角度を成して配置される第２の壁要素とを有する特に引き出し用のコーナー接続体であって、第１の壁要素に取り付けることができるとともに第２の壁要素を挿入するための受け部を備えるコネクタが設けられるコーナー接続体に関する。
【背景技術】
【０００２】
独国特許第２９８０９７５１号明細書は、ボード（板材）をその基準面で覆うある角度にて配置される２つの受け部を備えるボード用のアングル（Ｌ型）コネクタを開示する。各受け部には、ボードを案内する内向きのウェブが配置される。ボードに滑り込まれる時に公差が必要とされ、そのため、そのようなコーナー接続体は、ある制限内でのみ、引き出しなどの移動できる家具部品に適する。
【０００３】
サイドフレーム取付具を引き出しの後壁と接続するために、サイドフレーム取付具を挿入するための受け部を備える保持要素が欧州特許第１５１６５６１号明細書から知られている。この場合、保持要素は、ポストに固定される後壁と接続される。受け部はサイドフレーム取付具の形状に合わせて調整され、また、フレーム取付具ごとに別個の接続要素を設ける必要がある。
【０００４】
欧州特許第１４２７３１０号明細書は、取り外し可能なサイドフレーム取付具を有する引き出しを開示しており、この場合、サイドフレーム取付具を取り付けるための保持要素が後壁に設けられる。サイドフレーム取付具には、外側から見える調整カムが通されている。保持要素は後壁と共に螺合されまたは掛合される。しかしながら、そのような接続手段は、ある制限内でのみ、力を伝達することができる。
【発明の概要】
【発明が解決しようとする課題】
【０００５】
したがって、本発明の目的は、ある角度を成して配置される２つの要素を互いに安定した態様で接続できるコーナー接続体であって、容易な取付けを行なうことができるコーナー接続体を提供することである。
【課題を解決するための手段】
【０００６】
この目的は、請求項１の特徴を有するコーナー接続体によって達成される。
【０００７】
本発明によれば、コーナー接続体は、第１の壁要素を第２の壁要素に取り付けるためのコネクタを備え、コネクタ内に保持要素を挿入することができ、保持要素により第２の壁要素をコネクタに締結できる。結果として、第２の壁要素、特に引き出しのサイドフレーム取付具を、簡単な態様でコネクタに取り付けることができる。保持要素は、第２の壁要素の材料または形状に関係なく第２の壁要素に対する締結を確保でき、それにより、柔軟で簡単な取付けが可能である。
【０００８】
本発明の好ましい実施形態によれば、保持要素が特に処理が難しいガラスパネルなどの硬い工作物を取り付けるために使用されることから、少なくとも１つの突起が保持要素に配置され、該突起が第２の壁要素の開口に係合する。そのため、第２の壁要素に開口を形成することによって、この開口に突起を挿入することによる簡単な固定が可能である。保持要素は、第２の壁要素の前縁を取り囲むＵ形状クランプとして配置することができる。Ｕ形状クランプの各肢部には内側に面する側にラッチ手段を設けることができ、それにより、第２の壁要素に対する保持要素の位置を固定できる。ラッチ手段を第２の壁要素の開口に配置することができる。
【０００９】
保持要素による第２の壁要素の簡単な取付けのため、保持要素がコネクタと共に螺合されることが好ましい。これは、第２の壁要素の材料を困難な態様で処理する必要なく、コネクタに対する第２の壁要素の安定した固定をもたらすことができる。
【００１０】
コネクタは、保持要素を第２の壁要素に挿入するための小さいな窪み（stegformige Wertiefung）を備えることが好ましい。結果として、保持要素を窪み内へスライドして挿入させることができ、それにより、コネクタで第２の壁要素および保持要素の案内がもたらされ、簡単な位置決めを行なうことができる。視覚に魅力ある態様で接続領域が配置されるようにするため、第２の壁要素の取付位置で保持要素をコネクタの窪み内に完全に収容することができる。結果として、締結手段が外側から見えない。
【００１１】
コーナー接続体は、第１の壁要素と第２の壁要素との間で非積極的な接続を形成する。したがって、第２の壁要素およびコーナー接続体を介して力を第２の壁要素へ導入することができる。
【００１２】
更なる実施形態では、第１の壁要素を挿入するためのガイドがコネクタに配置される。第１の壁要素をラッチ要素を介してコネクタに取り外し可能に締結することができる。好ましくは、第１の壁要素がシートメタルから形成され、それにより、更なるラッチ要素を使用して第１の壁要素に対するコネクタの簡単な取付けが可能となる。第２の壁要素は、ガラス、セラミック、および／または、石から形成されるプレートなどの硬質材料から成ることが好ましく、それにより、保持要素およびコネクタを介して簡単な接続がなされる。ラッチ要素および保持要素は、弾性材料、特にプラスチックから形成されるのが好ましい。
【００１３】
以下、添付図面に示される実施形態を参照して、本発明を更に詳しく説明する。
【図面の簡単な説明】
【００１４】
【図１】ＡおよびＢはそれぞれ本発明に係るコーナー接続体の一実施形態の斜視図を示す。
【図２】図１のコーナー接続体の分解図を示す。
【図３】図２に係る取り付け中のコーナーコネクタの側断面図を示す。
【図４】図２のコーナーコネクタの平面図を示す。
【発明を実施するための形態】
【００１５】
特に引き出し用のコーナーコネクタ１は、第１の壁要素２と第２の壁要素３とを接続するために使用される。第１の壁要素２は、例えば引き出しの後壁として配置させることができ、折り曲げられたシートメタルから形成できる。第２の壁要素３は、引き出しの側壁としてまたは上側サイドフレーム取付具として配置され、硬質材料、特にガラスから成る。
【００１６】
図２に示されるように、第２の壁要素３は、保持要素５によってコネクタ４に締結される。保持要素５はＵ形状クランプの形態を成すプラスチックから形成され、その場合、保持要素５の肢部には内側に面する側に１つの突起６がそれぞれ配置され、該突起を第２の壁要素３の開口７内に挿入できる。したがって、Ｕ形状クランプを第２の壁要素３の表面を囲むように挿入して、第２の壁要素３をコネクタ４に取り付けることができる。
【００１７】
図３に示されるように、コネクタ４は第２の壁要素３を挿入するための受け部１３を備えており、保持要素５の領域には小さな窪み１２が配置される。保持要素５を取付位置で窪み１２内に完全に挿入することができ、締結ねじ８を挿入するための開口９が第２の壁要素３から離れて面する側のコネクタ４の後壁に配置される。締結ねじ８は、第２の壁要素３を安定した態様でコネクタ４に締結するために、後側からコネクタ４および保持要素５にねじ込まれる。
【００１８】
第２の壁要素３のためのコネクタ４の受け部１３内にはウェブ１４が配置され、該ウェブは、第２の壁要素３の表面をウェブ１４までしか挿入できないようにするストッパを形成する。保持要素５は、第２の壁要素３を越えて突出して、ねじ８により後壁に固定される。
【００１９】
コネクタ４に対する第１の壁要素２の固定は、両側に配置される２つのウェブ１９により形成されるガイド１７上で第１の壁要素２のフェース面をスライドさせることにより行なわれる。また、プラスチックから形成されて第１の壁要素２の上側角部に配置されるラッチ要素１５が設けられる。ラッチ要素１５は、ラッチ要素１５の弾性ウェブ１６がコネクタ４の開口１８に掛合するまで第１の壁要素２と共にガイド１７内へスライドされる。第１の壁要素２は、コネクタ４から引き出されないようにこの位置で固定され、この場合、非積極的でかつ積極的な固定がラッチ要素１５により行なわれる。
【００２０】
第１の壁要素２をコネクタ４から取り外すため、弾性ウェブ１６を工具を用いて押し込むことができ、それにより、コネクタ４をガイド１７に沿って上方へ引き出すことができる。これにより、接続要素を破壊する必要なく、取り付けられた引き出しを再び取り外すこともできる。コネクタ４は、特にサイドフレーム取付具として配置されかつ第１の壁要素２に締結される下側側壁２０上に配置される第２の壁要素３の取り外し可能な締結のために使用される。
【００２１】
図示の実施形態では、第１の壁要素２の固定は、第１の壁要素２の表面と共にコネクタ４のガイド１７内へスライドされる別個に配置されるラッチ要素１５により行なわれる。また、当然ながら、別個のラッチ手段１５の配置を省くために、ラッチ手段を第１の壁要素２と一体に設けることもできる。
【００２２】
第２の壁要素３の固定は保持要素５によって行なわれ、この場合、壁要素３が更に大きいケースでは、幾つかの保持要素５のために幾つかの開口７を設けることもでき、それにより、好ましくは壁要素３を幾つかのねじ８によってコネクタ４に締結できる。
【符号の説明】
【００２３】
１  コーナー接続体
２  第１の壁要素
３  第２の壁要素
４  コネクタ
５  保持要素
６  突起
７  開口
８  締結ねじ
９  開口
１２  窪み
１３  受け部
１４  ウェブ
１５  ラッチ要素
１６  ウェブ
１７  ガイド
１８  開口
２０  側壁
【図１Ａ】
2012518129.tif 000003
【図１Ｂ】
2012518129.tif 000004
【図２】
2012518129.tif 000005
【図３】
2012518129.tif 000006
【図４】
2012518129.tif 000007
【国際調査報告】
2012518129.tif 000008
2012518129.tif 000009
2012518129.tif 000010
2012518129.tif 000011
2012518129.tif 000012
2012518129.tif 000013